(57)【要約】【課題】電子情報及び電子マネーの不正使用や盗難を防止できると共に、非接触ＩＣカード機能部の使用時に利便性を損なわない携帯端末及びロック解除方法を提供することを目的とする。【解決手段】通常状態で機能がロックされている非接触ＩＣカード機能部を搭載した携帯端末において、非接触ＩＣカード機能部のロック解除の要求を受け付ける受付手段と、携帯端末に加えられた押打を検出する検出手段と、第１の振動パターンを記憶し、要求を受け付けた時、検出した押打から第２の振動パターンを認識して第１の振動パターンと比較し、両者が一致した場合に非接触ＩＣカード機能部のロックを解除する制御手段とを備える。【選択図】      図２
2009152875.tif 000002
【特許請求の範囲】
【請求項１】
通常状態で機能がロックされている非接触ＩＣカード機能部を搭載した携帯端末において、
前記非接触ＩＣカード機能部のロック解除の要求を受け付ける受付手段と、
前記携帯端末に加えられた押打を検出する検出手段と、
第１の振動パターンを記憶し、前記要求を受け付けた時、前記検出した押打から第２の振動パターンを認識して前記第１の振動パターンと比較し、両者が一致した場合に前記非接触ＩＣカード機能部のロックを解除する制御手段と、
を備えることを特徴とする携帯端末。
【請求項２】
所定時間を計時する計時手段をさらに備え、
前記制御手段は、前記第１の振動パターンと前記第２の振動パターンとが一致した場合に、予め定めた第１の所定時間だけ前記非接触ＩＣカード機能部のロックを解除する、
請求項１記載の携帯端末。
【請求項３】
前記制御手段は、前記要求を受け付けた時、予め定められた第２の所定時間だけ前記第２の振動パターンを認識する、
請求項２記載の携帯端末。
【請求項４】
前記検出手段は、前記押打の圧力に応じた電圧を出力する素子であり、
前記制御手段は、前記要求を受け付けた時から最初に出力された電圧から、予め定めた一定時間経過しても次の電圧が出力されない最後の電圧まで、の間に出力された電圧の変化パターンを前記振動パターンとして認識する、
請求項２または３に記載の携帯端末。
【請求項５】
前記携帯端末は、凹形状を成す押打領域が表面に形成された筐体を備える、
請求項１乃至４のいずれか１項記載の携帯端末。
【請求項６】
通常状態で機能がロックされている非接触ＩＣ機能部を搭載した携帯端末のロック解除方法において、
第１の振動パターンを記憶する記憶ステップと、
前記非接触ＩＣカード機能部のロック解除の要求を受け付ける受付ステップと、
前記携帯端末に加えられた押打を検出する検出ステップと、
前記要求を受け付けた時、前記検出した押打から第２の振動パターンを認識する認識ステップと、
前記第１の振動パターンと前記第２の振動パターンとを比較して、両者が一致した場合に、前記非接触ＩＣカード機能部のロックを解除する解除ステップと、
を備えることを特徴とするロック解除方法。
【請求項７】
前記解除ステップは、前記第１の振動パターンと前記第２の振動パターンとが一致した場合に、予め定めた第１の所定時間だけ非接触ＩＣカード機能部のロックを解除する、
請求項６記載のロック解除方法。
【請求項８】
前記認識ステップは、前記要求を受け付けた時から予め定めた第２の所定時間だけ実行されるステップである、
請求項６または７記載のロック解除方法。
【請求項９】
前記携帯端末は、前記押打の圧力に応じた電圧を出力する素子を含み、
前記認識ステップは、前記要求を受け付けた時から最初に出力された電圧から、予め定めた一定時間経過しても次の電圧が出力されない最後の電圧まで、の間に出力された電圧の変化パターンを前記振動パターンとして認識する、
請求項６乃至８のいずれか１項記載のロック解除方法。
【発明の詳細な説明】
【技術分野】
【０００１】
本発明は、非接触ＩＣカード機能部を搭載した携帯端末及び該非接触ＩＣカード機能部のロック解除方法に関する。
【背景技術】
【０００２】
非接触ＩＣカード機能部を搭載した携帯電話機を用いた電子商取引が急速に広まりつつある。非接触ＩＣカード機能部を搭載した携帯電話機は、携帯電話機の通信機能を使用せずに外部読み取り装置（リーダ・ライタ）に端末を近づけるだけで電子マネーショッピング等ができ、利便性が高い。しかし、非接触ＩＣカード機能部を搭載した携帯電話機を置き忘れた等の場合は、第三者に電子マネーを使われてしまう危険がある。更に、非接触型の為、ユーザが携帯電話機を所持している場合でも、ユーザが気付かないうちに電子情報及び電子マネーが盗難されてしまうことがある。例えば、満員電車等において、外部読み取り装置をカバンの中に忍ばせた第三者がユーザの非接触ＩＣカード機能部付き携帯電話機に近接させることにより、非接触ＩＣカード機能部付き携帯電話機から電子情報及び電子マネーが盗まれてしまう危険がある。
【０００３】
従って、通常状態では非接触ＩＣカード機能部をロックしておき、非接触ＩＣカード機能部を使用する時にロックを解除して、非接触ＩＣカード機能部を使用できるようにすることが望ましい。特許文献１には、非接触ＩＣカード機能部のロック及びロック解除の技術として、通常は非接触ＩＣカード機能部がロックされ、入力暗証番号と登録暗証番号とが一致したときに所定時間ロックが解除される携帯端末機が提案されている。
【０００４】
また、特許文献２には、接触式のＩＣカード機能のロック解除方法として、キーパッドで入力した暗証番号を第１の鍵、感圧素子で検知した指による軽打等のリズムを第２の鍵とし、これら第１の鍵と第２の鍵が一致したときに接触式のＩＣカード機能のロックを解除するＩＣカードが提案されている。特許文献２のＩＣカードは、ＰＯＳ端末にＩＣカードを挿入してＰＯＳ端末のキーボードを用いて暗証番号を入力した後、一旦ＰＯＳ端末からＩＣカードを引き抜いてＩＣカードに対して指による軽打等のリズムを加え、再度ＰＯＳ端末に挿入して電子商取引を実行する。
【０００５】
【特許文献１】特開２００３−１６３９８号公報（第４−５頁、第２図）
【特許文献２】特開平２−７３４８７号公報（第４頁、第１図）
【発明の開示】
【発明が解決しようとする課題】
【０００６】
しかし、特許文献１の携帯端末機は、非接触ＩＣカード機能部を使用する毎に、例えば４桁の数値列などから成る暗証番号を入力する必要があり、非接触ＩＣカード機能部の利便性が低下する。
【０００７】
また、特許文献２のＩＣカードは、ＰＯＳ端末にＩＣカードを挿入してＰＯＳ端末のキーボードを用いて暗証番号を入力した後、一旦ＰＯＳ端末からＩＣカードを引き抜いて指による軽打等のリズムを与え、再度ＰＯＳ端末に挿入する必要がある。従って、ＰＯＳ端末を長時間占有することになり効率が悪いと共に、ＰＯＳ端末への挿入を複数回行う必要があり、ＩＣカードの利便性が低下する。
【０００８】
本発明は上記課題に鑑みなされたもので、電子情報及び電子マネーの不正使用や盗難を防止できると共に、非接触ＩＣカード機能部の使用時に利便性を損なわない携帯端末及び非接触ＩＣカード機能部のロック解除方法を提供することを目的とする。
【課題を解決するための手段】
【０００９】
本発明に係る携帯端末は、通常状態で機能がロックされている非接触ＩＣカード機能部を搭載した携帯端末であって、非接触ＩＣカード機能部のロック解除の要求を受け付ける受付手段と、  携帯端末に加えられた押打を検出する検出手段と、第１の振動パターンを記憶し、要求を受け付けた時、検出した押打から第２の振動パターンを認識して第１の振動パターンと比較し、両者が一致した場合に非接触ＩＣカード機能部のロックを解除する制御手段とを備える。
【００１０】
本発明に係るロック解除方法は、通常状態で機能がロックされている非接触ＩＣ機能部を搭載した携帯端末のロック解除方法であって、第１の振動パターンを記憶する記憶ステップと、非接触ＩＣカード機能部のロック解除の要求を受け付ける受付ステップと、携帯端末に加えられた押打を検出する検出ステップと、要求を受け付けた時、検出した押打から第２の振動パターンを認識する認識ステップと、第１の振動パターンと第２の振動パターンとを比較して、両者が一致した場合に、非接触ＩＣカード機能部のロックを解除する解除ステップとを備える。
【発明の効果】
【００１１】
本発明に係る携帯端末及びロック解除方法では、非接触ＩＣカード機能部は通常状態では機能しないようにロックされている。従って、携帯端末を置き忘れた場合や満員電車内で第三者がユーザの携帯端末に外部読み取り装置等を故意に近接させた場合でも、携帯端末の電子情報及び電子マネーが不正に使用されたり盗難されたりすることを防止することができる。
【００１２】
また、ユーザが携帯端末の受付手段を用いてロック解除の要求を行うことにより、第２の振動パターンの認識が開始され、携帯端末に記憶されている第１の振動パターンと認識した第２の振動パターンとが一致した場合に非接触ＩＣカード機能部のロックが解除される。
【００１３】
この携帯端末は、事前に非接触ＩＣカード機能部のロックを解除してから外部読み取り装置に近接させることができるので、外部読み取り装置の使用時間を短縮することができると共に、外部読み取り装置への近接が１回で済む。従って、非接触ＩＣカード機能部の利便性が低下することがない。
【発明を実施するための最良の形態】
【００１４】
（第１の実施形態）
本発明の第１の実施形態に係る携帯端末を用いた電子情報授受システムの構成を図１に示す。図１において、電子情報授受システム１は、非接触ＩＣカード機能部を搭載した携帯端末２、外部読み取り装置３、通信ネットワーク４、及び、プロバイダサーバ５とから成る。ここで、携帯端末２の非接触ＩＣカード機能部は通常状態では機能がロックされている。
【００１５】
ユーザが携帯端末２の非接触ＩＣカード機能部を用いてプロバイダサーバ５と電子商取引を行う場合は、先ず、携帯端末２へ受付手段としての操作部を用いて非接触ＩＣカード機能部の解除を要求し、その後、携帯端末２に所定の押打を加える。携帯端末２に所定の押打が加えられることにより、携帯端末２の非接触ＩＣカード機能部のロックが解除される。ユーザは、非接触ＩＣカード機能部のロックが解除された後、携帯端末２を外部読み取り装置３に近接させ、通信ネットワーク４を介してプロバイダサーバ５と電子商取引を行う。
【００１６】
次に、図２を用いて携帯端末２について説明する。図２は、携帯端末２のブロック図である。図２において、携帯端末２は、操作部２５、非接触ＩＣカード部２６、振動検出部２７、及び、制御部３０を備える。
【００１７】
操作部２５は、ユーザから非接触ＩＣカード部２６のロック解除要求を受け付けて、制御部３０に報知する。非接触ＩＣカード部２６は、外部読み取り装置３との間で電子情報の送受信を行い、送受信した結果に基づいて電子情報を更新する。ここで、非接触ＩＣカード部２６は、通常状態では動作がロックされている。振動検出部２７は、携帯端末２に加えられた押打を検出し、電圧に変換して出力する。
【００１８】
制御部３０は、予め登録した第１の振動パターンを記憶すると共に、操作部２５からロック解除要求の受付けが報知された時に、振動検出部２７から出力された電圧から第２の振動パターンを認識し、記憶されている第１の振動パターンと比較する。そして、両者が一致した場合は、非接触ＩＣカード部２６のロックを解除する。
【００１９】
次に、携帯端末２に加えられた押打から第２の振動パターンへの認識方法、及び、第１の振動パターンと第２の振動パターンとの比較方法について、図３を用いて説明する。
【００２０】
振動検出部２７は、ユーザが指先等により所定のリズムで携帯端末２を押打すると、そのリズムに応じて図３（ａ）に示すような変化を示す電圧を出力する。
【００２１】
制御部３０は、操作部２５からロック解除要求の受付けが報知された時、振動パターンの認識を開始する。その後、最初に検出した電圧変化の発生（電圧の立ち上がり）を、電圧の変化パターンの開始点とする。そして、電圧値の時間変化から電圧の変化パターンを認識する。更に、電圧の変化パターンを検出してから予め定められた一定時間を経過しても次の電圧が検出されない場合に、最後に検出した電圧を電圧の変化パターンの終了点とし、振動パターンの認識を終了する。
【００２２】
尚、ユーザが操作部２５を用いて振動パターンの認識終了を明示的に入力することにより、振動パターンの認識を終了させるようにしても良い。
【００２３】
そして、制御部３０は、認識した電圧の変化パターンを二値化（デジタル化）又はＮ値化（規格化）する。そして、デジタル化及び規格化処理した電圧の変化パターンを第２の振動パターンとする。認識した電圧の変化パターンをデジタル化及び規格化処理した状態を、図３（ｂ）、図３（ｃ）に示す。
【００２４】
加えた押打間隔だけを振動パターンとして認識・出力すればよい場合には、図３（ｂ）のように二値化（デジタル化）した振動パターンを求めれば良い。また、押打の強弱をも振動パターンとして認識・出力する場合には、図３（ｃ）のようにＮ値化（規格化）した振動パターンを求めれば良い。
【００２５】
ここで、予め登録したロック解除用の振動パターン（第１の振動パターン）も、デジタル化又は規格化処理した状態で記憶されている。そして、第１の振動パターンと第２の振動パターンが一致しているか否かの判定は、デジタル化又は規格化処理した２つの振動パターンの差分を取り、差分が所定の閾値より小さい場合に、第１の振動パターンと第２の振動パターンが一致していると判定する。尚、第１の振動パターンと第２の振動パターンとの比較は、両者が類似していると認識できる範囲での時間的な許容値を与えている。
【００２６】
以上のように、第１の実施形態に係る携帯端末２は、通常状態では非接触ＩＣカード部２６の動作がロックされているので、携帯端末２を置き忘れた場合や満員電車等で第三者が携帯端末２に外部読み取り装置３を近接させた場合でも、携帯端末２から電子情報及び電子マネーが不正使用されたり盗まれたりすることを防止することができる。
【００２７】
また、ユーザが携帯端末２の操作部２５を用いて所定の操作を行うことにより、制御部３０は、ユーザが与えた押打を第２の振動パターンとして認識し、第１の振動パターンと比較する。そして、第１の振動パターンと第２の振動パターンとが一致した時、非接触ＩＣカード部２６のロックを解除する。
【００２８】
事前に非接触ＩＣカード部２６のロックを解除してから外部読み取り装置３に近接させるので、外部読み取り装置３の使用時間を短縮することができると共に、外部読み取り装置３への近接が１回で済む。従って、非接触ＩＣカード機能部の利便性が低下することがない。
（第２の実施形態）
第２の実施形態について説明する。第２の実施形態では、携帯端末として、折り畳み式の携帯電話機を適用する。図４（ａ）に携帯電話機１０を開いた状態の外観図、図４（ｂ）に携帯電話機１０を閉じた状態の外観図を示す。
【００２９】
図４（ａ）において、携帯電話機１０は、メイン表示部としてのＬＣＤ（Ｌｉｑｕｉｄ  Ｃｒｙｓｔａｌ  Ｄｉｓｐｌａｙ：液晶表示装置）１３、スピーカ１４等を備えた上側筐体１１と、操作ボタン１５、マイク１６等を備えた下側筐体１２とが、ヒンジ１７により開閉自在に連結されている。
【００３０】
図４（ｂ）において、携帯電話機１０の上側筐体１１の外側表面には、サブ表示部としてのＬＣＤ１８、着信時等に発光するＬＥＤ１９及び押打領域２０が配置されている。また、下側筐体１２の側面には、携帯電話機１０を閉じた状態で操作することができる操作ボタン１５が形成されている。第２の実施形態では、押打領域２０を上側筐体１１の外側表面よりやや低い凹状に形成した。また、押打領域２０の下側の上側筐体１１内部には振動センサ２１が配置されている。図４（ｂ）に、振動センサ２１を点線で示した。
【００３１】
振動センサ２１は、圧力が加わることにより電圧を発生する感圧素子であり、押圧の強弱及び速さ等に対応して高低の電圧を出力する。第２の実施形態において、振動センサ２１は主に、押打領域２０に加えられたユーザの押打に応じて電圧を出力する。ここで、押打領域２０を凹状に形成することにより、不要な押圧が振動センサ２１にかかることを防ぐことができる。
【００３２】
図５に、携帯電話機１０のブロック図を示す。携帯電話機１０は、無線部２２、表示部２３、音声入出力部２４、操作部２５、非接触ＩＣカード部２６、振動検出部２７、計時部２８、記憶部２９及び制御部３０等を備える。
【００３３】
無線部２２は、携帯電話基地局との間で音声データ等のデータを送受信する。表示部２３は、ＬＣＤ１３、１８に、メールや電子商取引結果等の各種情報を表示したり、ＴＶチューナ付きの携帯電話機１０の場合にはテレビ番組を映したりする。音声入出力部２４は、相手の音声やテレビ番組の音をスピーカ１４から出力させたり、マイク１６から入力されたユーザの音声をデジタル信号に変換する。操作部２５は、ユーザがテンキーやスクロールキー等の操作ボタン１５を用いて入力した情報を認識する。
【００３４】
非接触ＩＣカード部２６は、非接触ＩＣチップ部２６１と非接触通信部２６２を備える。非接触通信部２６２は非接触ＩＣチップ部２６１から読み出した電子情報を外部読み取り装置３との間で送受信する。そして、送受信した電子情報に基づいて非接触ＩＣチップ部２６１に記録されている電子情報を書き替える。ここで、非接触ＩＣチップ部２６１は、通常状態では電子情報の読み出し及び書き換え等のアクセスができないようにロックされている。そして、ユーザが所定の押打を携帯電話機１０に与えることにより、一定期間だけロックが解除される。
【００３５】
振動検出部２７は、制御部３０からの命令によって駆動され、振動センサ２１から出力されている電圧を制御部３０に出力する。
【００３６】
計時部２８は、一般的なタイマであり、制御部３０の指示を受けて計時を開始し、予め設定されている所定時間が経過した時に、制御部３０に「所定時間経過」を通知する。
【００３７】
記憶部２９は、ＲＯＭ（Ｒｅａｄ  Ｏｎｌｙ  Ｍｅｍｏｒｙ）、ＲＡＭ（Ｒａｍｄｏｍ  Ａｃｃｅｓｓ  Ｍｅｍｏｒｙ）、ＳＤメモリ（Ｓｅｃｕｒｅ  Ｄｉｇｉｔａｌ  Ｍｅｍｏｒｙ）、フラッシュメモリなどを有し、各種情報等が記憶されている。第２の実施形態において、記憶部２９には、非接触ＩＣカード部２６のロック解除用の振動パターンが記憶されている。更に、非接触ＩＣチップ部２６１（非接触ＩＣカード部２６）のロックを解除しておく第１の所定時間と、振動検出部２７を駆動しておく第２の所定時間が記憶されている。第１の所定時間と第２の所定時間については後述する。
【００３８】
制御部３０は、各部を制御する。また、操作部２５からロック解除要求の受付けが通知された時、振動検出部２７を駆動し、振動検出部２７から出力された電圧から振動パターンを認識する。そして、認識した振動パターンと記憶部２９記憶されている非接触ＩＣカード部２６のロック解除用の振動パターンとを比較し、両者が一致している場合には、非接触ＩＣカード部２６のロックを解除する。
【００３９】
ここで、非接触ＩＣカード部２６のロック解除用の振動パターンは、ユーザが非接触ＩＣカード機能部を最初に使用する時にユーザ自身で登録する。更に、ユーザは非接触ＩＣカード部２６のロックを解除しておく時間（第１の所定時間）を設定することができる。ロック解除用の振動パターンの登録及び第１の所定時間の登録の流れについて、図６を用いて説明する。
【００４０】
まず、操作部２５が、ユーザが非接触ＩＣカード機能部を最初に使用しようとする、または、ユーザが携帯電話機１０の操作ボタン１５を用いて振動パターンの登録／更新を選択したことを検知して、制御部３０に「振動パターンの登録／更新要求」を報知する（Ｓ１０１）。制御部３０は、「振動パターンの登録／更新要求」を受けて、ＬＣＤ１３（またはＬＣＤ１８）に、携帯電話機１０を閉じた状態にして携帯電話機１０へ押打を与えるように促す表示を行い（Ｓ１０２）、更に、振動検出部２７を駆動する（Ｓ１０３）。ユーザは、ＬＣＤ１３（またはＬＣＤ１８）の表示に従って携帯電話機１０の押打領域２０を押打する。
【００４１】
振動検出部２７は、振動センサ２１がユーザの押打に応じて出力した電圧を制御部３０に出力する（Ｓ１０４）。制御部３０は、振動検出部２７から出力された電圧から振動パターンを認識し、仮登録用の振動パターンとして記憶部２９に仮登録する（Ｓ１０５）。
【００４２】
次に制御部３０は、ＬＣＤ１８にユーザに携帯電話機１０への確認用の押打を促すための表示を行う（ステップ１０６）。ユーザがＬＣＤ１８の表示に従って携帯電話機１０の押打領域２０を再度押打すると、振動センサ２１及び振動検出部２７が押打に応じた電圧を出力し、制御部３０が確認用の振動パターンとして認識する（ステップ１０７）。さらに、制御部３０は、確認用の振動パターンと記憶部２９に仮登録した仮登録用の振動パターンとを比較し、一致するか否か判定する（ステップ１０８）。
【００４３】
ステップ１０８において、確認用の振動パターンと仮登録用の振動パターンとが一致した場合は、ＬＣＤ１８に、ユーザに携帯電話機１０を開いた状態にするよう指示する表示を行う。そして、携帯電話機１０の開状態を検知後、ＬＣＤ１３に、仮登録用の振動パターンを非接触ＩＣカード部２６のロック解除用の振動パターンとして登録するか否か確認する表示を行う（ステップ１０９）。そして、ユーザが「登録する」を選択した場合は、記憶部２９に仮登録されている仮登録用の振動パターンを、非接触ＩＣカード部２６のロック解除用の振動パターンとして記憶部２９に登録する（ステップ１１０）。
【００４４】
一方、ステップ１０８において確認用の振動パターンと仮登録用の振動パターンとが一致しない場合、及び、ステップ１０９においてユーザが「登録しない」を選択した場合は、ＬＣＤ１８またはＬＣＤ１３に、ユーザに携帯電話機１０を閉じて新たな押打を行うように促す表示を行う（ステップ１１１）。
【００４５】
次に、制御部３０がユーザに非接触ＩＣカード部２６のロック解除時間（第１の所定時間）を設定するか否か確認する表示をＬＣＤ１３に行う（ステップ１１２）。そして、ユーザが「設定する」を選択した場合、ロック解除時間の入力を促す表示をＬＣＤ１３に行う（ステップ１１３）。ユーザがＬＣＤ１３の表示に従って数値を入力すると、制御部３０は入力された数値を非接触ＩＣカード部２６のロック解除時間（第１の所定時間）として記憶部２９に記憶する（ステップ１１４）
一方、ステップ１１１においてユーザが「設定しない」を選択した場合は、デフォルトとして設定されている数値を非接触ＩＣカード部２６のロック解除時間として記憶部２９に登録する（ステップ１１５）。第２の実施形態では、デフォルトでロック解除時間（第１の所定時間）として「３０秒」が記憶部２９に記憶される。
【００４６】
尚、第２の実施形態では、確認用の振動パターンと仮登録用の振動パターンとが一致した場合に、記憶部２９に仮登録されている仮登録用の振動パターンを、非接触ＩＣカード部２６のロック解除用の振動パターンとして記憶部２９に登録したが、これに限定されない。最初に認識した振動パターンをそのまま非接触ＩＣカード部２６のロック解除用の振動パターンとして登録することもできるし、ユーザによる押打を３回以上行い、複数回判定を行った後で、最適な振動パターンを非接触ＩＣカード部２６のロック解除用の振動パターンとして登録することもできる。
【００４７】
また、ステップ１１１においてユーザが「設定しない」を選択した場合、デフォルトでロック解除時間として「３０秒」を登録したが、これに限らない。ユーザによるロック解除時間の登録を必須とすることもできる。更に、デフォルトで登録する時間を「２０秒」や「５分」等にすることもできる。
【００４８】
また、非接触ＩＣカード機能部のロック解除時間を長くした場合、携帯電話機１０の電子情報及び電子マネーが不正に使用されたり盗難されたりする危険が生じる。従って、ユーザがロック解除時間を設定する時に、登録できるロック解除時間を最長でも数分程度に制限しておくことが望ましい。
【００４９】
次に、ユーザが非接触ＩＣカード機能部を搭載した携帯電話機１０を用いてプロバイダサーバ５との間で電子商取引を実施する流れを、図７を用いて説明する。
【００５０】
図７において、ユーザが非接触ＩＣカード機能部を搭載した携帯電話機１０を用いてプロバイダサーバ５との間で電子商取引を実施する場合は、ユーザは先ず、携帯電話機１０の所定の操作ボタン１５を操作して、非接触ＩＣカード部２６のロック解除を開始する。
【００５１】
この操作は、折り畳み式携帯電話機の場合には、折り畳んだ状態で操作できるように、携帯電話機の筐体の側面や外側表面に設けた操作ボタンを用いることが望ましい。第２の実施形態では、非接触ＩＣカード部２６のロック解除を開始する場合、ユーザは下側筐体１２の側面に設けた操作ボタン１５を操作する。更に、ユーザは携帯電話機１０の押打領域２０に所定の押打を与える。
【００５２】
先ず、操作部２５が、ユーザが所定の操作ボタン１５を操作したことを検知して、制御部３０に「ロック解除要求」を報知する（ステップ２０１）。制御部３０は、「ロック解除要求」を受けて、振動検出部２７を駆動すると共に、計時部２８を駆動して「第２の所定時間」の計時を開始させる（ステップ２０２）。
【００５３】
第２の所定時間が経過するまでの期間（ステップ２０３）、振動検出部２７は、振動センサ２１がユーザの押打に応じて出力した電圧を制御部３０に出力する（ステップ２０４）。そして、  制御部３０は、振動検出部２７から出力された電圧から振動パターンを認識し（ステップ２０５）、認識した振動パターンと、記憶部２９に記憶されているロック解除用の振動パターンとを比較して一致するか否かを判定する（ステップ２０６）。ここで、電圧から振動パターンへの認識は、第１の実施形態で説明した処理と同様の処理を行うことにより、実行される。そして、認識した振動パターンと、記憶部２９に記憶されているロック解除用の振動パターンとが一致することなく、ステップ２０３において、「第２の所定時間」が経過した場合は、振動検出部２７からの電圧の出力を終了する（ステップ２０７）。
【００５４】
一方、認識した振動パターンとロック解除用の振動パターンとが一致した場合は、制御部３０は非接触ＩＣカード部２６の非接触ＩＣチップ部２６１のロックを解除すると共に、計時部２８に「第１の所定時間」の計時を開始させる（ステップ２０８）。更に、制御部３０は表示部２３を制御して、ＬＣＤ１８に電子商取引が可能である旨の表示を行わせる（ステップ２０９）。
【００５５】
ユーザは、電子商取引が可能である旨の表示を確認した後、非接触ＩＣカード機能部を搭載した携帯電話機１０を外部読み取り装置３のインタフェース部７に近接させる。そして、第１の所定時間が経過するまでの期間（ステップ２１０）、非接触ＩＣチップ部２６１から読み出された電子情報に基づいて、非接触通信部２６２が外部読み取り装置３と電子情報を送受信することにより、プロバイダサーバ５との間で電子商取引を実施する（ステップ２１１）。
【００５６】
そして、「第１の所定時間」が経過した時、制御部３０が非接触ＩＣカード部２６の非接触ＩＣチップ部２６１を再びロックする（ステップ２１２）。
【００５７】
尚、ステップ２０９では、ユーザへ電子商取引が可能であることの報知をＬＣＤ１８を用いて行ったが、これに限定されない。ＬＥＤ１９を発光させたり、スピーカ１４から音を出力させたりすることにより、ユーザに電子商取引が可能であることを報知することもできる。
【００５８】
また、第２の実施形態では、押打領域２０を上側筐体１１の外側表面に形成したが、これに限定されない。押打領域２０は、下側筐体１２や携帯電話機１０の側面や底面等に形成しても良い。更に、ユーザの押打を振動センサ２１で検出できる範囲を押打領域２０とし、明確な領域を設定しないこともできる。更に、凹状に形成するのに限定されず、ユーザが押打する時に発せられる音を小さくするために、押打領域２０をセラミック等で形成しても良い。
【００５９】
また、第２の実施形態では、携帯端末として折り畳み式携帯電話機１０を適用したが、これに限定されない。ストレート型やスライド式等の携帯電話機に適用してもよいし、ＰＤＡ（Ｐｅｒｓｏｎａｌ Ｄｉｇｉｔａｌ Ａｓｓｉｓｔａｎｔ）、ＰＨＳ、携帯型ゲーム機等の携帯端末に適用してもよい。
【００６０】
以上のように、第２の実施形態に係る携帯電話機２は、非接触ＩＣチップ部２６１が、通常状態ではアクセスできないようにロックされている。従って、携帯電話機１０を置き忘れた場合や満員電車内で第三者がユーザの携帯電話機１０に外部読み取り装置３を故意に近接させた場合でも、携帯電話機１０から電子情報及び電子マネーが不正に使用されたり盗難されたりすることを防止できる。
【００６１】
更に、非接触ＩＣチップ部２６１のロックは、ユーザが携帯電話機１０の押打領域２０に所定の押打を加えることにより解除される。押打領域２０を携帯電話機１０の上側筐体１１の外側表面に形成することにより、ユーザは折り畳み式携帯電話機１０を閉じた状態から開いた状態に変更する必要がなく、折り畳んだ状態で押打することができる。従って、ロック解除行為により非接触ＩＣカード機能部の利便性が損なわれることがない。
【００６２】
また、ステップ２０３で「第２の所定時間」が経過した場合は、振動検出部２７からの電圧の出力を終了することにより、誤って下側筐体１２の側面に設けた操作ボタン１５が操作されることにより開始した不要な電圧の出力及び振動パターンの認識を終了させることができる。従って、電力が無駄に消費されることを防ぐことができる。
【００６３】
更に、ロック解除時間（第１の所定時間）をユーザが設定できるので、ユーザの携帯電話機１０の使用スタイルにあわせて適切に非接触ＩＣカード機能部のロック解除を行うことができる。
【００６４】
尚、上述した実施形態は、非接触ＩＣカード機能部により直接的に電子マネーの授受を行うアプリケーションを実行する場合を例にして説明した。しかし、非接触ＩＣカード機能部の利便性をより高めるためには、定期券利用による自動改札通過時や入退場管理等のような直接的に電子マネーの授受を伴わないアプリケーションに対しては、ロックを自動解除するか、ロックをかけないという形態にしても良い。例えば、ロック解除を行わずに外部読み取り装置と通信を行った時に、上記のような直接的に電子マネーの授受を伴わないアプリケーションを識別した場合はロックを自動解除する機能を付加すれば良い。また、携帯端末においてユーザがアプリケーション毎に通常ロックをかけない状態に設定できるようにしても良い。
【図面の簡単な説明】
【００６５】
【図１】本発明の第１の実施形態に係る携帯端末２を用いた電子情報授受システム１の構成図。
【図２】本発明の第１の実施形態に係る携帯端末２のブロック図。
【図３】本発明の第１の実施形態に係る押打から認識パターンへの認識処理を示す図。
【図４】本発明の第２の実施形態に係る携帯電話機１０の外観図。
【図５】本発明の第２の実施形態に係る携帯電話機１０のブロック図。
【図６】本発明の第２の実施形態に係る携帯電話機１０の振動パターン及び第１の所定時間の登録を行う時の動作フローを示すフローチャート。
【図７】本発明の第２の実施形態に係る携帯電話機１０で電子商取引を行うまでの動作フローを示すフローチャート。
【符号の説明】
【００６６】
１    電子情報授受システム
２    携帯端末
３    外部読み取り装置
４    通信ネットワーク
５    プロバイダサーバ
１０    携帯電話機
１１    上側筐体
１２    下側筐体
１３、１８    ＬＣＤ
１４    スピーカ
１５    操作ボタン
１６    マイク
１７    ヒンジ
１９    ＬＥＤ
２０    押打領域
２１    振動センサ
【図１】
2009152875.tif 000003
【図２】
2009152875.tif 000004
【図３】
2009152875.tif 000005
【図４】
2009152875.tif 000006
【図５】
2009152875.tif 000007
【図６】
2009152875.tif 000008
【図７】
2009152875.tif 000009